(57)【要約】【課題】  ピン仮係止部材の装着作業の手間を軽減することが可能な遊技機の提供を目的とする。【解決手段】  本発明の遊技機によれば、ピン仮係止部材８０が、カバー側連結部７１に予め保持されており、連結ピン１００がピン貫通孔７４を貫通するときに、連結ピン１００に装着されるので、従来のように、一方の手で連結ピンを持ち、他方の手でピン仮係止部材を装着する場合に比較して、ピン仮係止部材８０の装着作業の手間が軽減される。【選択図】  図１２
2006061345.tif 000002
【特許請求の範囲】
【請求項１】
配線基板を収容した閉塞空間を有する基板ケースと、
前記配線基盤を内側に配置した状態で合体して前記基板ケースを構成する１対の基板ケース構成体と、
前記１対の基板ケース構成体に備えられて、互いに対向配置される第１及び第２のケース壁と、
前記第１のケース壁に形成されたピン貫通孔を貫通して、前記第２のケース壁に向けて挿入される連結ピンと、
前記連結ピンと前記１対の基板ケース構成体の一方又は双方に設けられ、前記ピン貫通孔を貫通した前記連結ピンが、前記挿入方向に抜け外れるのを防止する抜け外れ防止部と、
前記第２のケース壁に固定されたピン連結部材と、
前記ピン連結部材に形成されて、前記連結ピンの先端部が貫通し、その連結ピンの周面に凹凸係合することで、前記連結ピンを抜け止めするピン貫通抜止部とを備え、
前記第１のケース壁の前記ピン貫通孔を貫通した前記連結ピンが前記第２のケース壁に固定された前記ピン連結部材に係合することで、前記１対の基板ケース構成体が開放困難に係合される遊技機において、
前記第１及び第２のケース壁を接合したとき、それら第１及び第２のケース壁に跨って連通し、前記連結ピンが内部を移動する空洞部と、
前記第１又は第２のケース壁に予め保持されたピン仮係止部材、或いは、前記連結ピンから側方に張り出された可撓部材の何れかによって構成されて、前記空洞部内に配置され、前記連結ピンを前記第１のケース壁の前記ピン貫通孔に貫通したときに、前記連結ピンの先端を前記ピン連結部材から離した仮係止位置に仮係止すると共に、前記連結ピンが前記仮係止位置から前記ピン連結部材に向けて押し込まれたときに、前記連結ピンと共に前記空洞部内を移動するピン仮係止部と、
前記第１及び／又は第２のケース壁に形成されて、前記ピン仮係止部の前記移動前の状態と後の状態とを前記ケース構成体の外部から視認可能とする視認部とを備えたことを特徴とする遊技機。
【請求項２】
前記ピン仮係止部材は、前記第１のケース壁と共に前記連結ピンが貫通する板状をなし、その連結ピンが貫通するピン仮係止孔の開口縁が、前記連結ピンの軸方向の中間部に係止したことを特徴とする請求項１に記載の遊技機。
【請求項３】
前記第１又は第２のケース壁には、前記ピン仮係止部材の外縁部を保持し、前記連結ピンが前記仮係止位置から前記ピン連結部材に向けて押し込まれたときに前記保持を解除可能な係止爪或いは粘着部材が備えられたことを特徴とする請求項１又は２に記載の遊技機。
【請求項４】
前記空洞部には、前記ピン貫通孔と、
前記第１又は第２のケース壁に形成されて、前記ピン貫通孔より前記ピン連結部材側に位置しかつ前記ピン貫通孔より開口面積が広く、内部に前記ピン仮係止部材を収容した奥部空間とが備えられ、
前記ピン仮係止部材は、前記連結ピンを前記第１のケースから抜いたときに、前記ピン貫通孔の開口端に当接して破損するように構成されたことを特徴とする請求項２又は３に記載の遊技機。
【請求項５】
前記ピン仮係止部材のうち前記ピン仮係止孔の縁部を、前記ピン連結部材に近づく方向にテーパー状に凹ませて傾斜部を設けたことを特徴とする請求項２乃至４の何れかに記載の遊技機。
【請求項６】
前記ピン仮係止部材は、合成樹脂で構成されたことを特徴とする請求項１乃至５の何れかに記載の遊技機。
【請求項７】
前記ピン仮係止部材は、前記連結ピン及び前記第１及び第２のケース壁と異なる色を有していることを特徴とする請求項１乃至５の何れかに記載の遊技機。
【請求項８】
前記可撓部材は、前記連結ピンの周面から斜め後方に向かって起立し、
前記空洞部には、前記ピン貫通孔と、前記第１又は第２のケース壁に形成されて、前記ピン貫通孔より前記ピン連結部材側に位置しかつ前記ピン貫通孔より開口面積が広い奥部空間とが備えられ、
前記可撓部材は、前記ピン貫通孔内に弾性変形して通過し、前記奥部空間内で復元するように構成され、
前記連結ピンの後端部には、前記連結ピンに備えられた前記抜け外れ防止部と前記ピン貫通孔の一方の開口端との間で圧縮変形され、前記可撓部材を前記ピン貫通孔の他方の開口端に押し付ける圧縮コイルバネが備えられたことを特徴とする請求項１に記載の遊技機。
【請求項９】
前記圧縮コイルバネは、前記連結ピンと前記ピン連結部材との係合が外れたときに、前記連結ピンを前記ピン貫通孔から押し出すように復元することを特徴とする請求項８に記載の遊技機。
【請求項１０】
前記可撓部材は、前記連結ピンの周面から斜め後方に向かって起立し、
前記空洞部には、前記ピン貫通孔と、前記第１又は第２のケース壁に形成されて、前記ピン貫通孔より前記ピン連結部材側に位置しかつ前記ピン貫通孔より開口面積が広い奥部空間とが備えられ、
前記可撓部材は、前記ピン貫通孔内に弾性変形して通過し、前記奥部空間内で復元するように構成され、
前記連結ピンの後端部には、前記連結ピンに備えられた前記抜け外れ防止部と前記ピン貫通孔の一方の開口端との間で弾性変形され、前記可撓部材を前記ピン貫通孔の他方の開口端に押し付ける可撓片が備えられたことを特徴とする請求項１に記載の遊技機。
【請求項１１】
前記可撓部材は、前記連結ピンを前記第１のケース壁から抜いたときに、前記ピン貫通孔の開口端に当接して破損するように構成されたことを特徴とする請求項８乃至１０の何れかに記載の遊技機。
【発明の詳細な説明】
【技術分野】
【０００１】
本発明は、遊技機に関する。
【背景技術】
【０００２】
従来より、遊技機の各部位を制御する制御基板は、基板ケースに収容されている。基板ケースは制御基板を収容したベース体と制御基板を覆うカバー体とから構成される。そして、ベース体とカバー体は連結ピンによって一体に固定されている（例えば、特許文献１参照）。
【特許文献１】特開２００４−４１７７７号公報（［００５８］〜［００６１］、図１２Ａ、図１２Ｂ）
【発明の開示】
【発明が解決しようとする課題】
【０００３】
ところで、上述した従来の遊技機において、連結ピンには、連結ピンをカバー体に仮係止させるためのピン仮係止部材が装着されている。しかしながら、ピン仮係止部材を連結ピンに装着する際には、一方の手で連結ピンを持ち、他方の手でその連結ピンにピン仮係止部材を装着していたので、ピン仮係止部材の装着作業に手間がかかるという問題があった。
【０００４】
本発明は、上記事情に鑑みてなされたものであって、ピン仮係止部材の装着作業の手間を軽減することが可能な遊技機の提供を目的とする。
【課題を解決するための手段】
【０００５】
上記目的を達成するため、請求項１に係る遊技機は、配線基板を収容した閉塞空間を有する基板ケースと、配線基盤を内側に配置した状態で合体して基板ケースを構成する１対の基板ケース構成体と、１対の基板ケース構成体に備えられて、互いに対向配置される第１及び第２のケース壁と、第１のケース壁に形成されたピン貫通孔を貫通して、第２のケース壁に向けて挿入される連結ピンと、連結ピンと１対の基板ケース構成体の一方又は双方に設けられ、ピン貫通孔を貫通した連結ピンが、挿入方向に抜け外れるのを防止する抜け外れ防止部と、第２のケース壁に固定されたピン連結部材と、ピン連結部材に形成されて、連結ピンの先端部が貫通し、その連結ピンの周面に凹凸係合することで、連結ピンを抜け止めするピン貫通抜止部とを備え、第１のケース壁のピン貫通孔を貫通した連結ピンが第２のケース壁に固定されたピン連結部材に係合することで、１対の基板ケース構成体が開放困難に係合される遊技機において、第１及び第２のケース壁を接合したとき、それら第１及び第２のケース壁に跨って連通し、連結ピンが内部を移動する空洞部と、第１又は第２のケース壁に予め保持されたピン仮係止部材、或いは、連結ピンから側方に張り出された可撓部材の何れかによって構成されて、空洞部内に配置され、連結ピンを第１のケース壁のピン貫通孔に貫通したときに、連結ピンの先端をピン連結部材から離した仮係止位置に仮係止すると共に、連結ピンが仮係止位置からピン連結部材に向けて押し込まれたときに、連結ピンと共に空洞部内を移動するピン仮係止部と、第１及び／又は第２のケース壁に形成されて、ピン仮係止部の移動前の状態と後の状態とをケース構成体の外部から視認可能とする視認部とを備えたところに特徴を有する。
【０００６】
請求項２の発明は、請求項１に記載の遊技機において、ピン仮係止部材は、第１のケース壁と共に連結ピンが貫通する板状をなし、その連結ピンが貫通するピン仮係止孔の開口縁が、連結ピンの軸方向の中間部に係止したところに特徴を有する。
【０００７】
請求項３の発明は、請求項１又は２に記載の遊技機において、第１又は第２のケース壁には、ピン仮係止部材の外縁部を保持し、連結ピンが仮係止位置からピン連結部材に向けて押し込まれたときに保持を解除可能な係止爪或いは粘着部材が備えられたところに特徴を有する。
【０００８】
請求項４の発明は、請求項２又は３に記載の遊技機において、空洞部には、ピン貫通孔と、第１又は第２のケース壁に形成されて、ピン貫通孔よりピン連結部材側に位置しかつピン貫通孔より開口面積が広く、内部にピン仮係止部材を収容した奥部空間とが備えられ、ピン仮係止部材は、連結ピンを第１のケースから抜いたときに、ピン貫通孔の開口端に当接して破損するように構成されたところに特徴を有する。
【０００９】
請求項５の発明は、請求項２乃至４の何れかに記載の遊技機において、ピン仮係止部材のうちピン仮係止孔の縁部を、ピン連結部材に近づく方向にテーパー状に凹ませて傾斜部を設けたところに特徴を有する。
【００１０】
請求項６の発明は、請求項１乃至５の何れかに記載の遊技機において、ピン仮係止部材は、合成樹脂で構成されたところに特徴を有する。
【００１１】
請求項７の発明は、請求項１乃至５の何れかに記載の遊技機において、ピン仮係止部材は、連結ピン及び第１及び第２のケース壁と異なる色を有しているところに特徴を有する。
【００１２】
請求項８の発明は、請求項１に記載の遊技機において、可撓部材は、連結ピンの周面から斜め後方に向かって起立し、空洞部には、ピン貫通孔と第１又は第２のケース壁に形成されて、ピン貫通孔よりピン連結部材側に位置しかつピン貫通孔より開口面積が広い奥部空間とが備えられ、可撓部材は、ピン貫通孔内に弾性変形して通過し、奥部空間内で復元するように構成され、連結ピンの後端部には、連結ピンに備えられた抜け外れ防止部とピン貫通孔の一方の開口端との間で圧縮変形され、可撓部材をピン貫通孔の他方の開口端に押し付ける圧縮コイルバネが備えられたところに特徴を有する。
【００１３】
請求項９の発明は、請求項８に記載の遊技機において、圧縮コイルバネは、連結ピンとピン連結部材との係合が外れたときに、連結ピンをピン貫通孔から押し出すように復元するところに特徴を有する。
【００１４】
請求項１０の発明は、請求項１に記載の遊技機において、可撓部材は、連結ピンの周面から斜め後方に向かって起立し、空洞部には、ピン貫通孔と第１又は第２のケース壁に形成されて、ピン貫通孔よりピン連結部材側に位置しかつピン貫通孔より開口面積が広い奥部空間とが備えられ、可撓部材は、ピン貫通孔内に弾性変形して通過し、奥部空間内で復元するように構成され、連結ピンの後端部には、連結ピンに備えられた抜け外れ防止部とピン貫通孔の一方の開口端との間で弾性変形され、可撓部材をピン貫通孔の他方の開口端に押し付ける可撓片が備えられたところに特徴を有する。
【００１５】
請求項１１の発明は、請求項８乃至１０の何れかに記載の遊技機において、可撓部材は、連結ピンを第１のケース壁から抜いたときに、ピン貫通孔の開口端に当接して破損するように構成されたところに特徴を有する。
【発明の効果】
【００１６】
［請求項１及び２の発明］
上記のように構成した請求項１に係る発明によれば、配線基板を基板ケースの閉塞空間内に収容する際には、一方の基板ケース構成体に備えた第１のケース壁に連結ピンを貫通させ、連結ピンの先端を他方の基板ケース構成体に備えられたピン連結部材に凹凸係合させる。
【００１７】
ここで、ピン仮係止部は、予め第１又は第２のケース壁に保持されて、連結ピンが第１のケース壁のピン貫通孔を貫通したときに連結ピンに装着されるピン仮係止部材、或いは、予め連結ピンから側方に張り出された可撓部材の何れかにより構成されているので、従来のように一方の手で連結ピンを持ち、他方の手でこの連結ピンにピン仮係止部を装着する場合に比較して、ピン仮係止部を装着する際の手間が軽減される。
【００１８】
また、ピン仮係止部は、連結ピンの先端をピン連結部材から離した仮係止位置に仮係止するので、連結ピンがピン連結部材と凹凸係合する前に、第１のケース壁から抜け外れることが防止される。
【００１９】
さらに、連結ピンが仮係止位置からピン連結部材側へ移動する際には、ピン仮係止部が空洞部内において連結ピンと共にピン連結部材側へ移動する。即ち、連結ピンがピン連結部材と凹凸係合する前と凹凸係合した後で、ピン仮係止部の位置が変位する。そして、第１のケース壁及び／又は第２のケース壁には、ピン仮係止部をケース構成体の外部から視認可能とする視認部が設けられたので、ピン仮係止部の位置を外部から目視することで、連結ピンがピン連結部材と係合しているか否か、即ち、１対の基板ケース構成体が連結ピンにより開放困難に係合しているか否かを容易に確認することができる。ここで、ピン仮係止部材は、第１のケース壁と共に連結ピンが貫通する板状をなし、その連結ピンが貫通するピン仮係止孔の開口縁が、連結ピンの軸方向の中間部に係止するようにしてもよい（請求項２の発明）。
【００２０】
［請求項３の発明］
請求項３の発明によれば、ピン仮係止部材は、係止爪或いは粘着部材により、連結ピンが仮係止位置になるまで第１又は第２のケース壁に保持され、連結ピンが仮係止位置からピン連結部材側に押し込まれた場合に保持が解除される。これにより、連結ピンは確実に仮係止位置で仮係止され、しかも、連結ピンが仮係止位置から押し込まれた場合には、連結ピンの移動に伴ってピン仮係止部材を空洞部内で移動させることができる。
【００２１】
［請求項４及び６の発明］
請求項４の発明によれば、連結ピンを第１のケース壁から抜いたときに、ピン仮係止部材がピン貫通孔の開口端に当接することで破損するので、過去に連結ピンが抜かれたことのある第１のケース壁では、再度、連結ピンを仮係止することができなくなる。また、ピン仮係止部材の破損部分が、空洞部内に残る場合もある。これらにより、連結ピンが抜かれたことを容易に判別することができる。ここで、ピン仮係止部材は、合成樹脂で構成することが好ましい（請求項６の発明）。
【００２２】
［請求項５の発明］
請求項５の発明によれば、連結ピンがピン仮係止孔に突入する際に、ピン仮係止孔の縁部に形成された傾斜部が連結ピンに押されてピン連結部材側に撓むので、連結ピンの挿入時においてピン仮係止部材が破損し難くなる。また、連結ピンをスムーズにピン仮係止孔に通すことが可能となる。
【００２３】
［請求項７の発明］
請求項７の発明によれば、ピン仮係止部材は、第１及び第２のケース壁とは異なる色を有しているので、ピン仮係止部材の位置が視認部から視認し易くなる。
【００２４】
［請求項８の発明］
請求項８の発明によれば、可撓部材は、連結ピンの周面から斜め後方に向かって起立しているので、連結ピンをピン貫通孔に通過させる際に、可撓部材は連結ピンの周面に近づくように弾性変形する。これにより、連結ピンをピン貫通孔にスムーズに挿入することができる。また、この可撓部材は、ピン貫通孔を通過した後で、奥部空間内で復元し、圧縮コイルバネは、その可撓部材をピン貫通孔の他方の開口端に押し付けるので、これら可撓部材と圧縮コイルバネとによって、連結ピンを第１のケース壁に仮係止させることができる。
【００２５】
［請求項９の発明］
請求項９の発明によれば、圧縮コイルバネは、連結ピンとピン連結部材との係合が外れたときに、連結ピンをピン貫通孔から押し出すように復元するので、連結ピンとピン連結部材との係合が外れたことが分かり易い。
【００２６】
［請求項１０の発明］
請求項１０の発明によれば、可撓部材は、連結ピンの周面から斜め後方に向かって起立しているので、連結ピンをピン貫通孔に通過させる際に、可撓部材は連結ピンの周面に近づくように弾性変形する。これにより、連結ピンをピン貫通孔にスムーズに挿入することができる。また、この可撓部材は、ピン貫通孔を通過した後で、奥部空間内で復元し、可撓片は、その可撓部材をピン貫通孔の他方の開口端に押し付けるので、これら可撓部材と可撓片とによって、連結ピンを第１のケース壁に仮係止させることができる。
【００２７】
［請求項１１の発明］
請求項１１の発明によれば、連結ピンを第１のケース壁から抜いたときに、可撓部材がピン貫通孔の開口端に当接することで破損するので、一度、第１のケース壁から抜かれた連結ピンは、仮係止することができなくなる。また、可撓部材の破損部分が、空洞部内に残る場合もある。これらにより、連結ピンが抜かれたことを容易に判別することができる。
【発明を実施するための最良の形態】
【００２８】
［第１実施形態］
以下、本発明を適用したパチンコ遊技機に係る第１実施形態を、図１〜図１３に基づいて説明する。図１に示すように、本実施形態のパチンコ遊技機の遊技盤１１には、ガイドレール１２で囲まれたほぼ円形の遊技領域Ｒ１が形成され、中央部には、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９、一般入賞口２０，２１が設けられ、遊技領域Ｒ１全体に亘って、図示しない複数の障害釘が起立している。さらに、ガイドレール１２に沿った両側端部には、サイドランプ２２，２２が設けられている。
【００２９】
図１に示すように、パチンコ遊技機のうち、遊技盤１１より上方には、遊技盤１１の前面側に張り出した装飾ランプ３５が設けられている。パチンコ遊技機のうち遊技盤１１より下方には、上皿２７Ａ及び下皿２７Ｂが上下２段にして設けられている。上皿２７Ａの両側には、スピーカ５６Ｓが備えられている。また、上皿２７Ａに備えたボタン２９を押せば、上皿２７Ａから下皿２７Ｂに遊技球が移動して収容される。そして、下皿２７Ｂの右端部に設けた操作ノブ２８を操作することで、上皿２７Ａに収容された遊技球が遊技盤１１に向けて弾き出されて遊技が開始される。
【００３０】
次に所要の各部位についてさらに詳説する。
始動ゲート１８は、遊技球が潜って通過可能な門形構造をなし、通過した遊技球は、その始動ゲート１８に内蔵したゲートスイッチによって検出される。そして、その検出信号に基づいて、後述する普通図柄表示領域２４の図柄が変動表示される。
【００３１】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、前記ゲートスイッチへの遊技球の通過を起因に遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００３２】
始動入賞口１４に遊技球が入賞すると、始動入賞口１４内に設けた始動口センサが遊技球を検出し、その検出信号に基づいて表示装置１３が後述するように図柄を変動表示する。なお、表示装置１３が図柄を変動表示している間に、始動入賞口１４に入賞した入賞球は、４個まで保留記憶される。
【００３３】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けた駆動装置（例えば、ソレノイド）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００３４】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた特定領域センサが遊技球の入賞を検出すると継続権利が発生して、前述した終了条件（可動扉１５Ｔの開放時間が２９秒に達したか、又は、大入賞口１５に遊技球が１０個入賞したか）を満たしてラウンドが終了した後で、連続して次のラウンドが実行される。また、計数入賞口内に設けたカウントセンサが遊技球の入賞を検出すると、前記継続入賞口への入賞球と合わせて、大入賞口１５への入賞球がカウントされ、これらが前記したように計１０個に達したか否かがチェックされる。
【００３５】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、液晶表示部３４となっており、遊技者は、表示枠体２３を通して液晶表示部３４に表示された画像を見ることができる。
【００３６】
液晶表示部３４には、図１に示すように、通常は、３つの左、中、右の特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、液晶表示部３４に確定表示されている。そして、始動入賞口１４に遊技球が入賞したときに当否判定し、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００３７】
液晶表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けたゲートスイッチが遊技球の通過を検出したときに当否判定して、例えば、「０」〜「９」までの数字を所定期間に亘って変動表示した後、所定の数字を確定表示する。そして、確定表示された数字が、例えば、奇数の場合に、始動入賞口１４に設けた可動翼片１４Ｃ，１４Ｃが所定期間（例えば、０．４秒）に亘って横に倒される。なお、普通図柄表示領域２４で表示する図柄は、数字に限るものではなく、アルファベットや記号等でもよい。
【００３８】
図２に示すように、パチンコ遊技機の後面には、各種制御基板が設けられている。具体的には、パチンコ遊技機の後面中央には、メイン制御基板５０が設けられている。メイン制御基板５０の上方には、表示制御基板５７が設けられている。また、これらメイン制御基板５０、表示制御基板５７に重なるようにして、図示しないランプ制御基板、音声制御基板が設けられている。
【００３９】
メイン制御基板５０の下方には、電源基板５８、払出制御基板５９が備えられ、電源基板５８の下方には、遊技球を発射させるための発射装置５５及び発射制御基板５６が備えられている。
【００４０】
ところで、これら各制御基板５０，５６〜５９は、個々に透明な基板ケースに収容されている。そして、メイン制御基板５０（本発明の「配線基板」に相当する）を収容した基板ケース６０に本発明が適用されている。
【００４１】
基板ケース６０は、図３に示すように、メイン制御基板５０の形状に対応して、横長扁平の箱形状をなし、その箱の扁平方向（図３における上下方向）の途中部分で、ベース体６１とカバー体６２（本発明の「１対の基板ケース構成体」に相当する）とに分解可能となっている。即ち、基板ケース６０は、ベース体６１の内側にメイン制御基板５０を配置、固定してから、次述する連結ピン１００によりカバー体６２とベース体６１とを合体（開放困難に係合）させてある。つまり、メイン制御基板５０は、カバー体６２とベース体６１とにより形成される閉塞空間内に収容されている。
【００４２】
まず、図４に基づいて、連結ピン１００について説明する。連結ピン１００は全体が、例えば、金属で構成され、円板状のヘッド部１０１と、このヘッド部１０１の中心から延びた円柱状のピン本体１０２とから構成される。
【００４３】
ピン本体１０２のうち、最も基端側（ヘッド部１０１側）の部分は、大径部１０２ａとなっている。大径部１０２ａは、ヘッド部１０１からピン本体１０２の軸方向のほぼ中間部分まで延びており、その外径は、ピン本体１０２のうちで最大となっている。
【００４４】
ピン本体１０２のうち、大径部１０２ａよりも先端側には、大径部１０２ａから段付き状に縮径した第１小径部１０２ｂが形成されている。第１小径部１０２ｂの外径は、ピン本体１０２のうちで最小となっている。
【００４５】
第１小径部１０２ｂよりも先端側には、第１小径部１０２ｂから段付き状に拡径した拡径部１０２ｃが形成されている。拡径部１０２ｃの外径は、第１小径部１０２ｂよりも大きくかつ大径部１０２ａよりも若干小さくなっている。換言すれば、ピン本体１０２のうち、大径部１０２ａと拡径部１０２ｃとの間の周面には、陥没凹所が形成されていることになる。
【００４６】
拡径部１０２ｃよりも先端側には、拡径部１０２ｃから段付き状に縮径した第２小径部１０２ｄが形成されている。第２小径部１０２ｄの外径は、前記第１小径部１０２ｂの外径とほぼ同一となっている。
【００４７】
さらに、第２小径部１０２ｄよりも先端側には、先端突部１０２ｅが形成されている。先端突部１０２ｅは、基端側（ヘッド部１０１側）部分が扁平円柱状をなし、先端側部分が円錐台形状をなして先細りとなっている。また、先端突部１０２ｅの基端側部分は、第２小径部１０２ｄから段付き状に拡径している。つまり、ピン本体１０２のうち、拡径部１０２ｃと先端突部１０２ｅとの間の周面にも、陥没凹所が形成されている。また、先端突部１０２ｅの基端側部分における外径は、拡径部１０２ｃの外径よりも小さくなっている。以上が連結ピン１００の説明である。
【００４８】
次に、基板ケース６０について説明する。基板ケース６０のうち、ベース体６１は、全体が例えば、透明な合成樹脂（例えば、ポリカーボネート）で形成されている。ベース体６１は、図３に示すように扁平な箱形状をなしており、扁平方向の一端（図３における上端）が開放している。図５に示すように、ベース体６１のうち、基板ケース６０の底部を構成する底板６１Ｓの四隅には、ベース体６１の開放端（図５における紙面手前側）に向かって起立した円筒状の支持柱６５が形成されている。また、ベース体６１のうち、基板ケース６０の側部を構成する囲壁６１Ｔに沿った複数箇所には、支持柱６５と同様に底板６１Ｓからベース体６１の開放端に向かって起立したリブ６９が形成されている。
【００４９】
メイン制御基板５０は、ベース体６１の開放端から囲壁６１Ｔの内側に嵌め込まれ、支持柱６５及びリブ６９によって底板６１Ｓから浮いた状態に配置される（図６を参照）。この状態で、メイン制御基板５０を貫通した螺子を支持柱６５に螺合することで、メイン制御基板５０がベース体６１に固定される。
【００５０】
ところで、ベース体６１に備えた囲壁６１Ｔのうち、ベース体６１の長手方向（図５における左右方向）で対向した側壁６１Ｒ，６１Ｒには、それぞれ複数（例えば、４つ）のベース側連結部６３（本発明の「第２のケース壁」に相当する）が備えられている。図３及び図５に示すように、これらベース側連結部６３は、側壁６１Ｒからベース体６１の側方に突出している。
【００５１】
詳細には、ベース側連結部６３は、ベース体６１と同様に、全体が透明な合成樹脂（例えば、ポリカーボネート）で構成されている。ベース側連結部６３は、図３に示すように、全体としてブロック状をなす。また、図６に示すように、ベース体６１の底板６１Ｓ寄り位置に偏在して、底板６１Ｓの裏面側に膨出している。
【００５２】
図５に示すように、ベース側連結部６３のうち、ベース体６１の側壁６１Ｒから若干離れた部分には、矩形凹所６４が陥没形成されている。矩形凹所６４は、ベース体６１と同方向（図３における上方向）に開放しており、その内部空間には、ピン連結部材６６が備えられている。なお、矩形凹所６４の内部空間は直方体形状をなしている。
【００５３】
ピン連結部材６６は、例えば、金属（より具体的には、ステンレス）製の矩形板状部材から構成される。ピン連結部材６６は、底面６４Ｓに対して平行に対面しかつ、若干底面６４寄り位置に配置されている。また、ピン連結部材６６のうち、ベース体６１の長手方向（図６における左右方向）における両端部分６６Ｒ，６６Ｒは、直角に折れ曲がっており、この両端部分６６Ｒ，６６Ｒを、例えば、螺子等で矩形凹所６４の内壁に固定してある。これにより、ピン連結部材６６は、矩形凹所６４の内部空間に固定され、外れないようになっている。
【００５４】
図５及び図６に示すように、ピン連結部材６６のうち、連結壁６６Ｓの中心部分には、前記連結ピン１００が貫通する係合孔６７が貫通形成されている。係合孔６７の内径は、前記連結ピン１００の先端突部１０２ｅの外径よりも小さくかつ第２小径部１０２ｄの外径よりも大きくなっている。また、連結壁６６Ｓのうち、係合孔６７の周縁部分には、係合孔６７の中心部に向かって張り出した複数の突片６８が備えられている。
【００５５】
図６に示すように、突片６８は、係合孔６７の中心に近づくに従って矩形凹所６４の底面６４Ｓに向かうように傾斜している。また、図５に示すように、隣接した２つの突片６８同士の間には、切り欠きが形成されている。なお、これら係合孔６７及び突片６８によって、本発明の「ピン貫通抜止部」が構成されている。
【００５６】
ここで、上記したように、ベース側連結部６３は、全体が透明な部材で構成されているから、ベース側連結部６３の外部から、ベース側連結部６３の側壁９１（より詳細には、ピン連結部材６６の両端部分６６Ｒ，６６Ｒが敷設されていない部分。図３及び図５を参照）を通して、矩形凹所６４の内部空間が視認可能となっている。なお、ベース側連結部６３の側壁９１は、本発明の「視認部」に相当する。
【００５７】
次に、基板ケース６０を構成するカバー体６２について説明する。カバー体６２は、ベース体６１と同様に、全体が透明な合成樹脂（例えば、ポリカーボネート）で構成されている。カバー体６２は、図３に示すように、ベース体６１の形状に対応した扁平の箱形状をなし、扁平方向における一端（図３における下端）が開放している。
【００５８】
図７に示すように、カバー体６２のうち、基板ケース６０の底部（ベース体６１の底板６１Ｓ）に対面配置される天板６２Ｓは、横長矩形状をなす。天板６２Ｓのうち、長手方向に延びた一側辺は、図３に示すように段付き状に陥没しており、この陥没部分には、複数のコネクタ用開口部７０が横並びに形成されている。メイン制御基板５０が固定されたベース体６１に、このカバー体６２を取り付けると、メイン制御基板５０備えられたコネクタのみが、コネクタ用開口部７０から基板ケース６０の外部に露出するようになっている。
【００５９】
ところで、カバー体６２の囲壁６２Ｔのうち、カバー体６２の長手方向で対向した側壁６２Ｒ，６２Ｒには、それぞれ複数（例えば、４つずつ）のカバー側連結部７１（本発明の「第１のケース壁」に相当する）が備えられている。これらカバー側連結部７１は、側壁６２Ｒ，６２Ｒから張り出して備えられており、ベース体６１とカバー体６２とを接合（嵌合）させた場合に、それぞれ対応するベース側連結部６３に対向配置されて当接するようになっている（図３を参照）。
【００６０】
カバー側連結部７１は、カバー体６２と同様に、全体が透明な合成樹脂（例えば、ポリカーボネート）で構成されている。図８に示すように、カバー側連結部７１は、カバー体６２の開口端寄り位置において、リブ７２によってカバー体６２の側壁６２Ｒに繋がれている。これにより、カバー側連結部７１は、カバー体６２の側壁６２Ｒから側方に若干離れた位置に配置される（図７，８を参照）。なお、これらカバー側連結部７１は、リブ７２を切断することによって、個別にカバー体６２から切り離すことが可能となっている。
【００６１】
図３に示すように、カバー側連結部７１は、矩形筒状の外筒体７１Ｇの内部にピン貫通壁７１Ｓを一体形成してなる。ピン貫通壁７１Ｓは、外筒体７１Ｇの下端寄り位置に設けられており、その中心部には、円形のピン貫通孔７４が形成されている。さらに、ピン貫通壁７１Ｓには、ピン貫通孔７４の開口縁から外筒体７１Ｇの下端に向かって（図３及び図８における下方に向かって）延びた円筒壁７５が形成されている。
【００６２】
図８に示すように、円筒壁７５の下端部７５Ｋからは１対の係止爪７７，７７が延設されている。係止爪７７，７７は、例えば、円筒壁７５の周方向において互いに１８０°離れた位置に設けられている。係止爪７７は、円筒壁７５の外周寄り部分から下方に延び、先端部がピン貫通孔７４の中心に向かって直角に折れ曲がっている。そして、この係止爪７７，７７により、次述するピン仮係止部材８０の外縁部が円筒壁７５の下端部７５Ｋ側に保持されている。即ち、ピン仮係止部材８０は、予めカバー側連結部７１（カバー体６２）に保持されている。
【００６３】
なお、図８に示すように、係止爪７７，７７の先端面７７Ｔ，７７Ｔは、円筒壁７５から離れるに従って互いに離れるようにテーパ形状をなし、その距離は、ピン貫通孔７４の内径よりも大きくなっている。
【００６４】
以上が、基板ケース６０を構成するベース体６１及びカバー体６２の説明であって、次にピン仮係止部材８０について説明する。ピン仮係止部材８０は、有色（例えば、青色）の合成樹脂で構成されており、全体として扁平なリング形状をなしている。即ち、図９の（Ａ）に示すように、ピン仮係止部材８０は、円板部材８１の中心部に円形のピン仮係止孔８２を貫通形成してなる。ピン仮係止孔８２の内径は、連結ピン１００の先端突部１０２ｅ、拡径部１０２ｃ及び大径部１０２ａよりも小さく、第１小径部１０２ｂ及び第２小径部１０２ｄよりも大きくなっている（図９の（Ｂ）を参照）。
【００６５】
また、図９の（Ｂ）に示すように、ピン仮係止孔８２の周縁部は、すり鉢状に凹んでいる。即ち、ピン仮係止部材８０の径方向において、最外部を構成する平坦部８３と中心部に形成されたピン仮係止孔８２との中間部分には、テーパ状に傾斜した傾斜部８４が形成されている。そして、ピン仮係止部材８０は、傾斜部８４が、ピン連結部材６６に近づく方向に凹むようにカバー側連結部７１（カバー体６２）に保持されている（図１０を参照）。換言すれば、図９（Ｂ）に示すように、傾斜部８４は、連結ピン１００の挿入方向（図９（Ｂ）における下方）側に凹むように傾斜している。なお、図９の（Ｂ）に示すように、ピン仮係止部材８０の肉厚は、第１小径部１０２ｂの軸方向における長さよりも小さくなっている。
【００６６】
以上が本発明のパチンコ遊技機の構成の説明であって、次に作用・効果について説明する。基板ケース６０を構成するベース体６１とカバー体６２は、以下のようにして組み付けられる。即ち、メイン制御基板５０をベース体６１の囲壁６１Ｔ内に固定し、ベース体６１の開放端とカバー体６２の開放端とを接合（嵌合）させる。これにより、ベース体６１の内側に配置されたメイン制御基板５０は、カバー体６２によって覆われる。
【００６７】
図１０に示すように、ベース体６１とカバー体６２が接合（嵌合）すると、ベース体６１に備えられたベース側連結部６３と、カバー体６２に備えられたカバー側連結部７１とが、基板ケース６０の扁平方向（図１０における上下方向）に重なって当接する。これにより、ベース側連結部６３に備えられた矩形凹所６４と、カバー側連結部７１を構成する外筒体７１Ｇの内部空間とが、ピン貫通孔７４を介して連通する。また、カバー側連結部７１に保持されたピン仮係止部材８０は、ベース側連結部６３の矩形凹所６４内に収容される。なお、矩形凹所６４の内部空間、外筒体７１Ｇの内部空間及びこれらを連通したピン貫通孔７４により、本発明の「空洞部」が構成されている。
【００６８】
次いで、ベース体６１とカバー体６２とを連結ピン１００によって一体に固定する。即ち、ベース側連結部６３とカバー側連結部７１とが当接した状態（図１０の状態）で、カバー側連結部７１（外筒体７１Ｇ）の上方より連結ピン１００を挿入し、カバー側連結部７１に形成されたピン貫通孔７４を貫通させる。
【００６９】
連結ピン１００をピン貫通孔７４に挿入すると、途中で、連結ピン１００がカバー側連結部７１に保持されたピン仮係止部材８０に突き当たる。即ち、連結ピン１００の先端突部１０２ｅが、ピン仮係止孔８２の周縁部に形成された傾斜部８４に当接する。傾斜部８４は、上述したように、連結ピン１００の挿入方向（図１０における下方）、即ち、ピン連結部材６６に近づく方向にテーパ状に凹んでいるので、連結ピン１００をピン連結部材６６側（図１０における下方）に押し込むことで、この傾斜部８４がピン連結部材６６側に曲がって、ピン仮係止孔８２が一時的に拡径する。すると、連結ピン１００の先端突部１０２ｅがピン仮係止孔８２を通過して、ピン仮係止部材８０が連結ピン１００の第２小径部１０２ｄの周面に一旦係止される（図１１の（Ａ）の状態）。ここで、連結ピン１００の先端突部１０２ｅがピン仮係止孔８２を通過する間、ピン仮係止部材８０は、係止爪７７，７７によってカバー側連結部７１に保持されたままである。
【００７０】
連結ピン１００をさらに押し込むと、連結ピン１００の第２小径部１０２ｄと拡径部１０２ｃとの間の段差部１０３によって、ピン仮係止部材８０の傾斜部８４が押圧される。すると、上記したように傾斜部８４がピン連結部材６６側に曲がって、再び、ピン仮係止孔８２が拡径される。そして、連結ピン１００の拡径部１０２ｃがピン仮係止孔８２を通過して、ピン仮係止部材８０に形成されたピン仮係止孔８２の開口縁が、連結ピン１００の第１小径部１０２ｂの周面に係止される（図１１の（Ｂ）の状態）。ここで、連結ピン１００の拡径部１０２ｃがピン仮係止孔８２を通過する間も、ピン仮係止部材８０は、係止爪７７，７７によってカバー側連結部７１に保持されたままである。
【００７１】
このように、ピン仮係止部材８０が、連結ピン１００の第１小径部１０２ｂに係止されることで、連結ピン１００は、ピン仮係止部材８０を介してカバー体６２（詳細には、カバー側連結部７１）に仮係止された状態となる。そして、連結ピン１０が仮係止されることで、例えば、カバー体６２とベース体６１との連結作業の途中で、連結ピン１００がカバー体６２のピン貫通孔７４から抜け外れることが防止される。なお、この状態（図１１の（Ｂ）の状態）における連結ピン１００の位置が、本発明における「仮係止位置」である。
【００７２】
さて、カバー体６２に仮係止された連結ピン１００を、さらにピン連結部材６６（詳細には、連結壁６６Ｓ）側に押し込むと、連結ピン１００の大径部１０２ａと第１小径部１０２ｂとの間に形成された段差部１０４が、ピン仮係止部材８０の傾斜部８４に当接して、ピン仮係止部材８０がピン連結部材６６の連結壁６６Ｓ側に押しつけられる。すると、ピン仮係止部材８０は、連結ピン１００に係合したまま係止爪７７，７７から離脱する。即ち、係止爪７７，７７によるピン仮係止部材８０の保持状態が解除されて、ピン仮係止部材８０が連結ピン１００と共に、矩形凹所６４の内部空間を移動可能な状態となる（図１２の（Ａ）の状態）。
【００７３】
ピン仮係止部材８０が係止爪７７，７７が離脱した（ピン仮係止部材８０の保持状態が解除された）後で、連結ピン１００をピン連結部材６６側に向けてさらに押し込むと、連結ピン１００の先端突部１０２ｅが、連結壁６６Ｓに形成された係合孔６７の周縁部に当接する。係合孔６７の周縁部には、矩形凹所６４の底面６４Ｓ側に傾斜した突片６８が形成されており、この突片６８が、連結ピン１００からの押圧力によって矩形凹所６４の底面６４Ｓ側に押し曲げられて、係合孔６７の径が一時的に拡径する。係合孔６７の内径が拡径することで、連結ピン１００の先端突部１０２ｅが係合孔６７を通過すると、突片６８は元の形状に復元する。即ち、係合孔６７の内径が元の大きさに縮径し、ピン連結部材６６の連結壁６６Ｓが連結ピン１００の第２小径部１０２ｄの周面に凹凸係合する。
【００７４】
また、連結ピン１００とピン連結部材６６とが係合するのとほぼ同時に、連結ピン１００のヘッド部１０１が、カバー側連結部７１のピン貫通孔７４の周縁部に当接する。これにより、連結ピン１００のピン貫通孔７４に対する挿入方向への抜け外れが防止されると共に、ベース側連結部６３とカバー側連結部７１とが連結ピン１００によって連結され、ベース体６１とカバー体６２とが合体（開放困難に係合）される（図１２の（Ｂ）の状態）。なお、連結ピン１００のヘッド部１０１とピン貫通孔７４の周縁部は、本発明の「抜け外れ防止部」に相当する。
【００７５】
ここで、図１２の（Ａ）及び（Ｂ）に示すように、ピン仮係止部材８０がカバー側連結部７１から離脱した（係止爪７７，７７によるピン仮係止部材８０の保持状態が解除された）後で、連結ピン１００がピン連結部材６６側へ押し込まれると、この連結ピン１００の移動に伴って、ピン仮係止部材８０もピン連結部材６６側へと移動する。つまり、矩形凹所６４の内部空間におけるピン仮係止部材８０の位置は、連結ピン１００がピン連結部材６６と係合する前（図１１及び図１２の（Ａ）の状態）と係合した後（図１２の（Ｂ）の状態）とで変位する。
【００７６】
そして、ベース側連結部６３は、透明な合成樹脂で構成されているので、ベース側連結部６３に形成された矩形凹所６４の内部空間は、ベース側連結部６３の外部から視認することができる。即ち、連結ピン１００がピン連結部材６６と係合する前の状態（図１１及び図１２の（Ａ）の状態）と係合した後の状態（図１２の（Ｂ）の状態）における連結ピン１００の位置を、ベース側連結部６３の側壁９１を通して外部から視認することができる。
【００７７】
ところで、本実施形態では、ピン連結部材６６に係合した連結ピン１００を、ピン貫通孔７４から引き抜くと以下のようになる。即ち、連結ピン１００がカバー側連結部７１側に引かれることで、ピン仮係止部材８０が連結ピン１００と共にカバー側連結部７１側に移動する。そして、ピン仮係止部材８０の周縁部が、係止爪７７，７７の先端部を乗り越えて円筒壁７５の下端部７５Ｋに当接する。この状態から、さらに連結ピン１００が引っ張られると、連結ピン１００の第１小径部１０２ｂと拡径部１０２ｃとの間の段差部１０５（図４を参照）によってピン仮係止部材８０の傾斜部８４が押し上げられ、円筒壁７５の内側に隆起するように変形する（図１３の（Ａ）の状態）。
【００７８】
そして、連結ピン１００がさらに引っ張られることで、ピン仮係止部材８０の変形量は次第に大きくなり、ついには破損する（割れる）。これにより、ピン仮係止部材８０が連結ピン１００から離脱して、連結ピン１００がピン貫通孔７４から抜かれる（図１３の（Ｂ）の状態）。
【００７９】
さて、ピン仮係止部材８０が破損すると、連結ピン１００をカバー側連結部７１に仮係止することが不可能となる。つまり、過去に連結ピン１００が引き抜かれたことがあるカバー側連結部７１では、連結ピン１００を仮係止することができなくなる。また、図１３の（Ｂ）に示すように、ピン仮係止部材８０の破損部分が矩形凹所６４の内部空間に残る場合もあり、この場合には、ベース側連結部６３の側壁９１から破損部分を視認することができる。これらにより、過去に連結ピン１００が引き抜かれたことがあるか否かを容易に判別することができる。なお、連結ピン１００が引き抜かれたことがあるか否かに基づいて、例えば、過去に基板ケース６０が不正に開放されたことがあるか否かを見分けることが可能となる。
【００８０】
このように本実施形態によれば、ピン仮係止部材８０が、カバー側連結部７１に予め保持されており、連結ピン１００がピン貫通孔７４を貫通するときに、連結ピン１００に装着されるので、従来のように、一方の手で連結ピンを持ち、他方の手でピン仮係止部材を装着する場合に比較して、ピン仮係止部材８０の装着作業の手間が軽減される。
【００８１】
また、ピン仮係止部材８０が連結ピン１００に装着されると、ピン仮係止部材８０は連結ピン１００と共に移動し、連結ピン１００がピン連結部材６６と係合する前と係合した後とで、ピン仮係止部材８０の位置が変位する。そして、ピン仮係止部材８０の位置は、ベース側連結部６３の外部から視認可能となっているので、連結ピン１００がピン連結部材６６と係合しているか否か、即ち、ベース体６１とカバー体６２とが連結ピン１００によって合体（開放困難に係合）されているか否かが確認し易くなる。さらに、ピン仮係止部材８０は、ベース側連結部６３とは異なり有色（例えば、青色）の樹脂で構成されているので、ベース側連結部６３の矩形凹所６４におけるピン仮係止部材８０の位置がより視認し易くなる。
【００８２】
［第２実施形態］
図１４〜図１６は本発明の第２実施形態を示す。
この第２実施形態は、連結ピンの形状を上記第１実施形態とは異なる構成としたものである。その他の構成については上記第１実施形態と同じであるため、同じ構成については、同一符号を付し、重複する説明は省略する。
【００８３】
図１４に示すように、本実施形態の連結ピン２００は、全体が、例えば、金属で構成され、ヘッド部１０１から延びたピン本体２０２の周面に、１対の可撓部材２０３，２０３を一体に備えてなる。
【００８４】
具体的には、可撓部材２０３，２０３は、ピン本体２０２のうち、第１小径部１０２ｂと拡径部１０２ｃとの間の境界部分２０４に形成され、ヘッド部１０１側に向かって斜めに起立している。即ち、可撓部材２０３は、基端部２０３Ｋから先端部２０３Ｓに向かうに従って第１小径部１０２ｂの周面から離れるように斜めに張り出している。そして、可撓部材２０３，２０３の先端部２０３Ｓ，２０３Ｓ同士の間の距離は、ピン貫通孔７４の内径よりも大きくなっている。なお、可撓部材２０３は先細り形状をなしている。
【００８５】
さらに、本実施形態の連結ピン２００には、圧縮コイルバネ２０５が取り付けられている。圧縮コイルバネ２０５は大径部１０２ａの外側に巻回され、一端がヘッド部１０１に固定されている。
【００８６】
次に、本実施形態の作用・効果について説明する。
連結ピン２００をカバー側連結部７１のピン貫通孔７４に挿入すると、途中で可撓部材２０３が、ピン貫通孔７４の周縁部に接触する。この状態から連結ピン２００をベース側連結部６３側へ押し込むと、可撓部材２０３がピン貫通孔７４の周縁部によって内側に押され、連結ピン２００の移動に伴って、徐々に第１小径部１０２ｂの周面に近づくように弾性変形する。換言すれば、可撓部材２０３が弾性変形して、ピン本体２０２の周面のうち、大径部１０２ａと拡径部１０２ｃとの間に形成された凹所２０６内に徐々に収納される（図１５の（Ａ）の状態）。
【００８７】
可撓部材２０３は、前記凹所２０６に収納された状態（図１５の（Ａ）の状態）でピン貫通孔７４を通り、先端部２０３Ｓがピン貫通孔７４を通過した時点で、元の形状に復元する。即ち、可撓部材２０３は、ピン貫通壁７１Ｓよりもピン連結部材６６側の空間（本発明における「奥部空間」に相当する）内で、第１小径部１０２ｂから離れるように側方に張り出し、先端部２０３Ｓ同士の間の距離が、ピン貫通孔７４の内径よりも大きくなる。また、このとき、圧縮コイルバネ２０５がヘッド部１０１とピン貫通壁７１Ｓとの間で圧縮されるので、圧縮コイルバネ２０５の弾発力によって可撓部材２０３の先端部２０３Ｓが、ピン貫通孔７４のベース側連結部６３側の周縁部に押し付けられる（図１５の（Ｂ）の状態）。つまり、圧縮コイルバネ２０５と可撓部材２０３によって、ピン貫通壁７１Ｓを挟むことで、連結ピン２００がカバー側連結部７１に仮係止され、連結ピン２００のピン貫通孔７４からの抜け止めが図られる。
【００８８】
カバー側連結部７１に仮係止された連結ピン２００をさらに押し込むと、連結ピン２００の先端突部１０２ｅがピン連結部材６６に形成された係合孔６７を貫通し、連結ピン２００とピン連結部材６６が凹凸係合する。また、このとき、大径部１０２ａに巻回された圧縮コイルバネ２０５が連結ピン２００のヘッド部１０１とピン貫通壁７１Ｓとの間でさらに圧縮される（図１６の（Ａ）の状態）。
【００８９】
さて、ピン連結部材６６に係合した連結ピン２００を引き抜くと以下のようになる。まず、連結ピン２００とピン連結部材６６との係合が解除され、圧縮変形されていた圧縮コイルバネ２０５が元の形状に復元する。すると、連結ピン２００は、圧縮コイルバネ２０５の弾発力によって、ピン貫通孔７４から押し出されるようにカバー側連結部７１側に直動する。そして、連結ピン２００に備えた可撓部材２０３が、ピン貫通孔７４のベース側連結部６３側の周縁部に当接する（図１５の（Ｂ）の状態）。
【００９０】
連結ピン２００がさらに引っ張られると、可撓部材２０３は、ピン貫通孔７４のベース側連結部６３側の周縁部に押しつけられて、第１小径部１０２ｂの周面から離れるように外側へ曲げられる。そして、連結ピン２００がカバー側連結部７１側に移動するに従って、可撓部材２０３の変形量は大きくなり、ついには基端部２０３Ｋから折れて、連結ピン２００から離脱する。そして、可撓部材２０３，２０３が連結ピン２００から離脱することで、連結ピン２００がピン貫通孔７４から引き抜かれる（図１６の（Ｂ）の状態）。
【００９１】
本実施形態によれば、上記第１実施形態と同様な効果を奏することができる。また、連結ピン２００をピン貫通孔７４から引き抜くと、連結ピン２００に一体に備えられた可撓部材２０３，２０３が破損して離脱する。これにより、一度、ピン貫通孔７４から引き抜かれた連結ピン２００は、再度、カバー側連結部７１に仮係止させることが不可能となる。また、可撓部材２０３の破損部分が矩形凹所６４の内部空間に残る場合があり、この場合には、ベース側連結部６３の側壁９１からその破損部分を視認することができる。これらにより、連結ピン２００が引き抜かれたか否かを容易に判別することができる。
【００９２】
［第３実施形態］
図１７〜図１９は本発明の第３実施形態を示す。
この第３実施形態は、連結ピンの形状のみが上記第２実施形態とは異なるので、同じ構成については、同一符号を付し、重複する説明は省略する。
【００９３】
図１７に示すように、本実施形態の連結ピン２１０は、ヘッド部２１１から延びたピン本体２１２の周面に、１対の可撓部材２０３，２０３を備えると共に、ピン本体２１２のうち、可撓部材２０３，２０３よりもヘッド部２１１側の周面に、１対の可撓片２１４，２１４を備えてなる。
【００９４】
ヘッド部２１１は、扁平円板形状をなすと共に、ピン本体２１２が延設された側の面には、１対の脚部２１５，２１５が形成されている。脚部２１５は、例えば、ヘッド部２１１の周方向において互いに１８０°離れた位置に設けられ、ヘッド部２１１の外縁部分からピン本体２１２の先端に向かって突出している。
【００９５】
可撓片２１４は、ピン本体２１２の周方向において互いに１８０°離れた位置に設けられている。可撓片２１４は、連結ピン２１０の先端に向かって斜めに起立している。即ち、可撓片２１４は、基端部２１４Ｋから先端部２１４Ｓに向かって、徐々に第１小径部１０２ｂの周面から離れるように延びており、先端部２１４Ｓは、ヘッド部２１１に形成された脚部２１５よりも先端側に位置している。そして、可撓片２１４の先端部２１４Ｓ同士の間の距離は、ピン貫通孔７４の内径よりも大きくなっている。なお、また、可撓片２１４は、先細り形状をなしている。
【００９６】
次に、本実施形態の作用・効果について説明する。
連結ピン２１０をピン貫通孔７４に挿入すると、途中で可撓部材２０３が、ピン貫通孔７４の周縁部に接触する。この状態から連結ピン２１０を押し込むと、可撓部材２０３がピン貫通孔７４の周縁部によって内側に押され、連結ピン２１０の移動に伴って、徐々に第１小径部１０２ｂの周面に近づくように弾性変形する（図１８の（Ａ）を参照）。
【００９７】
可撓部材２０３は、ピン貫通孔７４を通過すると元の形状に復元し、第１小径部１０２ｂの周面から離れるように側方に張り出す。また、このとき、可撓片２１４がピン貫通孔７４の周縁部に突き当たり、可撓片２１４，２１４が互いに離れるように外側に向かって僅かに弾性変形するので、この可撓片２１４の復元力によって可撓部材２０３の先端部２０３Ｓが、ピン貫通孔７４のベース側連結部６３側の周縁部に押し付けられる（図１８の（Ｂ）の状態）。つまり、可撓片２１４と可撓部材２０３によって、ピン貫通壁７１Ｓを挟むことで、連結ピン２１０がカバー側連結部７１に仮係止され、連結ピン２１０のピン貫通孔７４からの抜け止めが図られる。
【００９８】
仮係止された連結ピン２１０をさらに押し込むと、連結ピン２１０の先端突部１０２ｅがピン連結部材６６に形成された係合孔６７を貫通し、連結ピン２１０とピン連結部材６６とが凹凸係合する。このとき、ピン本体２１２から張り出した可撓片２１４は、ピン貫通壁７１Ｓに押しつけられることで外側に大きく変形し、ついには折れて連結ピン２１０から離脱する。ここで、ヘッド部２１１に形成された脚部２１５がピン貫通壁７１Ｓに突き当たることで、ヘッド部２１１とピン貫通壁７１Ｓとの間に隙間が形成され、連結ピン２１０から離脱した（折れた）可撓片２１４，２１４は、この隙間に収容される。（図１９の（Ａ）を参照）
【００９９】
ピン連結部材６６に係合した連結ピン２１０を引き抜くと以下のようになる。即ち、連結ピン２１０に備えた可撓部材２０３がピン貫通孔７４のベース側連結部６３側の周縁部に当接して、ピン本体２１２の周面から離れるように外側へ曲げられる。さらに連結ピン２１０が引っ張られることで、可撓部材２０３の変形量はさらに大きくなり、ついには基端部２０３Ｋから折れて連結ピン２１０から離脱する（図１９の（Ｂ）を参照）。本実施形態によっても、上記第２実施形態と同様な効果を奏することができる。
【０１００】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１実施形態パチンコ遊技機に本発明を適用していたが、配線基板を収納する基板カバーを備えた遊技機であれば、アレンジボールやコイン遊技機、スロットマシン等に備えてもよい。
【０１０１】
（２）上記第１実施形態では、ピン仮係止部材８０を係止爪７７，７７によってピン貫通孔７４の周縁部に保持していたが、図２０に示すように、粘着部材９０（例えば、両面テープや接着剤等）によって、ピン仮係止部材８０をピン貫通孔７４の周縁部に貼り付けておいてもよい。このようにすれば、係止爪７７，７７で保持した場合よりも、ピン仮係止部材８０の保持部分の構造を簡素化することができる。また、円筒壁７５の内周面に環状の溝を形成し、その溝にピン仮係止部材８０の外周縁を係止させてもよい。
【０１０２】
（３）上記第１実施形態において、ピン仮係止部材８０に形成された傾斜部８４に、例えば、図２１に示すように、ピン仮係止孔８２の中心から放射状に延びた切り欠き８５を形成してもよい。このようにすれば、傾斜部８４がピン連結部材６６側へ曲がり易くなり、よりスムーズに連結ピン１００を挿通させることができる。
【０１０３】
（４）上記第１実施形態において、ピン仮係止部材８０は、青色の合成樹脂で構成されていたが、カバー側連結部７１及びベース側連結部６３と異なる色であれば、他の色でもよい。
【０１０４】
（５）上記第１実施形態では、ピン仮係止孔８２をピン仮係止部材８０の中心部に形成していたが、ピン仮係止部材８０の中心からずれた位置に形成してもよい。
【０１０５】
（６）上記第１実施形態では、ピン仮係止部材８０は、偏平な円板状をなしていたが、連結ピン１００を引き抜いたときに破損する形状であればよく、矩形板状でもよいし、塊状（例えば、球形状、直方体形状等）でもよい。
【０１０６】
（７）上記第１〜第３実施形態では、メイン制御基板５０を収容した基板ケース６０に本発明が適用されていたが、他の配線基板を収容した基板ケースに適用してもよい。
【０１０７】
（８）上記第２及び３実施形態において、連結ピン２００，２１０に備えられた可撓部材２０３は、２つであったが、１つ若しくは３つ以上備えていてもよい。
【０１０８】
（９）上記第１〜第３実施形態では、連結ピン１００，２００，２１０がピン貫通孔７４から引き抜かれた場合に、ピン仮係止部材８０及び可撓部材２０３が割れて、連結ピン１００，２００，２１０から離脱するように構成されていたが、ピン仮係止部材８０及び可撓部材２０３が、連結ピン１００，２００，２１０を仮係止不可能な形状に変形すればよい。
【０１０９】
（１０）上記第１〜第３実施形態では、連結ピン１００，２００，２１０を金属製としていたが、他の材質（例えば合成樹脂）でもよい。
【図面の簡単な説明】
【０１１０】
【図１】本発明の第１実施形態に係るパチンコ遊技機の正面図
【図２】パチンコ遊技機の背面図
【図３】基板ケースの斜視図
【図４】連結ピンの正面図
【図５】ベース体及びベース側連結部の平面図
【図６】ベース体及びベース側連結部の側断面図
【図７】カバー体及びカバー側連結部の平面図
【図８】カバー体及びカバー側連結部の側断面図
【図９】（Ａ）ピン仮係止部材の平面図（Ｂ）ピン仮係止部材の側断面図
【図１０】ベース体とカバー体とが合体した状態における側断面図
【図１１】（Ａ）連結ピンの先端突部がピン仮係止部材を貫通した状態の側断面図（Ｂ）連結ピンが仮係止された状態の側断面図
【図１２】（Ａ）ピン仮係止部材の係止爪による保持状態が解除されたときの側断面図（Ｂ）連結ピンがピン連結部材と凹凸係合した状態の側断面図
【図１３】（Ａ）連結ピンをピン貫通孔から引き抜く方向へ引っ張ったときの側断面図（Ｂ）連結ピンがピン貫通孔から引き抜かれたときの側断面図
【図１４】第２実施形態に係る連結ピンの正面図
【図１５】（Ａ）可撓部材がピン貫通孔を通過しているときの側断面図（Ｂ）連結ピンが仮係止された状態の側断面図
【図１６】（Ａ）連結ピンがピン連結部材と凹凸係合した状態の側断面図（Ｂ）連結ピンがピン貫通孔から引き抜かれたときの側断面図
【図１７】第３実施形態に係る連結ピンの正面図
【図１８】（Ａ）可撓部材がピン貫通孔を通過しているときの側断面図（Ｂ）連結ピンが仮係止された状態の側断面図
【図１９】（Ａ）連結ピンがピン連結部材と凹凸係合した状態の側断面図（Ｂ）連結ピンがピン貫通孔から引き抜かれたときの側断面図
【図２０】他の実施形態（２）に係るベース側連結部及びカバー側連結部の側断面図
【図２１】他の実施形態（３）に係るピン仮係止部材の平面図
【符号の説明】
【０１１１】
６０    基板ケース
６１    ベース体（基板ケース構成体）
６２    カバー体（基板ケース構成体）
６３    ベース側連結部（第２のケース壁）
６４    矩形凹所（奥部空間）
６６    ピン連結部材
６７    係合孔（ピン貫通抜止部）
６８    突片（ピン貫通抜止部）
７１    カバー側連結部（第１のケース壁）
７４    ピン貫通孔
７７    係止爪
８０    ピン仮係止部材（ピン仮係止部）
８２    ピン仮係止孔
８４    傾斜部
９０    粘着部材
９１    側壁（視認部）
１００，２００，２１０    連結ピン
１０１，２１１    ヘッド部（抜け外れ防止部）
２０３    可撓部材
２０５    圧縮コイルバネ
２１４    可撓片
【図１】
2006061345.tif 000003
【図２】
2006061345.tif 000004
【図３】
2006061345.tif 000005
【図４】
2006061345.tif 000006
【図５】
2006061345.tif 000007
【図６】
2006061345.tif 000008
【図７】
2006061345.tif 000009
【図８】
2006061345.tif 000010
【図９】
2006061345.tif 000011
【図１０】
2006061345.tif 000012
【図１１】
2006061345.tif 000013
【図１２】
2006061345.tif 000014
【図１３】
2006061345.tif 000015
【図１４】
2006061345.tif 000016
【図１５】
2006061345.tif 000017
【図１６】
2006061345.tif 000018
【図１７】
2006061345.tif 000019
【図１８】
2006061345.tif 000020
【図１９】
2006061345.tif 000021
【図２０】
2006061345.tif 000022
【図２１】
2006061345.tif 000023